(57)【要約】【課題】画面内の温度ムラにより生じる画質の劣化を低減することのできる技術を提供する。【解決手段】本発明の表示装置は、画面を分割して得られる分割領域毎に発光輝度を制御可能なバックライトを有する表示装置であって、分割領域毎に、その分割領域に表示される画像の統計量を取得する取得手段と、分割領域毎の統計量に基づいて、分割領域毎のバックライトの発光輝度を決定する決定手段と、分割領域毎に、決定手段で決定された発光輝度でバックライトを発光させるバックライト制御手段と、を有し、表示する画像が切り替えられる際に、決定手段は、切り替え前の画像の統計量に基づいて決定された発光輝度が分割領域間で異なることにより生じる画面内の温度ムラが低減するように、表示する画像の切り替えが行われる期間である切り替え期間における分割領域毎の発光輝度を決定する。【選択図】図１
2014035519.tif 000002
【特許請求の範囲】
【請求項１】
画面を分割して得られる分割領域毎に発光輝度を制御可能なバックライトを有する表示装置であって、
分割領域毎に、その分割領域に表示される画像の統計量を取得する取得手段と、
前記取得手段で取得された前記分割領域毎の統計量に基づいて、前記分割領域毎の前記バックライトの発光輝度を決定する決定手段と、
前記分割領域毎に、前記決定手段で決定された発光輝度で前記バックライトを発光させるバックライト制御手段と、
を有し、
表示する画像が切り替えられる際に、前記決定手段は、切り替え前の画像の統計量に基づいて決定された発光輝度が分割領域間で異なることにより生じる前記画面内の温度ムラが低減するように、表示する画像の切り替えが行われる期間である切り替え期間における前記分割領域毎の発光輝度を決定する
ことを特徴とする表示装置。
【請求項２】
前記決定手段は、前記切り替え前の画像の統計量に基づいて他の分割領域よりも高い発光輝度を設定した分割領域に対して、前記切り替え期間における発光輝度として、前記切り替え前の画像の統計量に基づいて設定した発光輝度よりも低い値を設定する処理、及び、前記切り替え前の画像の統計量に基づいて他の分割領域よりも低い発光輝度を設定した分割領域に対して、前記切り替え期間における発光輝度として、前記切り替え前の画像の統計量に基づいて設定した発光輝度よりも高い値を設定する処理のうちの少なくとも一方の処理を行う
ことを特徴とする請求項１に記載の表示装置。
【請求項３】
前記決定手段は、前記切り替え前の画像の統計量に基づいて他の分割領域よりも高い発光輝度を設定した分割領域に対して、前記切り替え期間における発光輝度として、前記他の分割領域よりも低い発光輝度を設定する
ことを特徴とする請求項１または２に記載の表示装置。
【請求項４】
前記バックライトからの光を透過する表示パネルと、
前記決定手段で決定された前記切り替え期間における前記分割領域毎の発光輝度に基づいて、前記切り替え期間における前記画面上の輝度ムラが低減するように、前記表示パネルの透過率を制御する表示パネル制御手段と、
をさらに有する
ことを特徴とする請求項１〜３のいずれか１項に記載の表示装置。
【請求項５】
前記表示パネルは、画像信号に応じた透過率で前記バックライトからの光を透過することにより画像を表示するものであり、
前記表示パネル制御手段は、前記決定手段で決定された前記切り替え期間における前記分割領域毎の発光輝度に基づいて、前記切り替え期間に表示する画像を表す画像信号を補正する
ことを特徴とする請求項４に記載の表示装置。
【請求項６】
前記切り替え期間には、輝度が一様の画像が表示される
ことを特徴とする請求項１〜５のいずれか１項に記載の表示装置。
【請求項７】
前記切り替え期間には、黒画像が表示される
ことを特徴とする請求項１〜６のいずれか１項に記載の表示装置。
【請求項８】
前記決定手段は、輝度が一様な帯状領域を有する画像から、当該帯状領域を有さない画像へ、表示する画像が切り替えられる際に、前記画面内の温度ムラが低減するように、前記切り替え期間における前記分割領域毎の発光輝度を決定する
ことを特徴とする請求項１〜７のいずれか１項に記載の表示装置。
【請求項９】
前記決定手段は、前記切り替え前の画像の前記分割領域毎の統計量から決定された前記分割領域毎の発光輝度に基づいて、前記画面内の温度ムラが低減するように、前記切り替え期間における前記分割領域毎の発光輝度を決定する
ことを特徴とする請求項１〜８のいずれか１項に記載の表示装置。
【請求項１０】
前記決定手段は、前記切り替え前の画像の前記分割領域毎の統計量に基づいて、前記画面内の温度ムラが低減するように、前記切り替え期間における前記分割領域毎の発光輝度を決定する
ことを特徴とする請求項１〜８のいずれか１項に記載の表示装置。
【請求項１１】
前記バックライトの位置毎の温度を測定する温度センサをさらに有し、
前記決定手段は、前記温度センサで測定された前記位置毎の温度に基づいて、前記画面内の温度ムラが低減するように、前記切り替え期間における前記分割領域毎の発光輝度を決定する
ことを特徴とする請求項１〜８のいずれか１項に記載の表示装置。
【請求項１２】
画面を分割して得られる分割領域毎に発光輝度を制御可能なバックライトを有する表示装置の制御方法であって、
分割領域毎に、その分割領域に表示される画像の統計量を取得する取得ステップと、
前記取得ステップで取得された前記分割領域毎の統計量に基づいて、前記分割領域毎の前記バックライトの発光輝度を決定する決定ステップと、
前記分割領域毎に、前記決定ステップで決定された発光輝度で前記バックライトを発光させるバックライト制御ステップと、
を有し、
表示する画像が切り替えられる際に、前記決定ステップでは、切り替え前の画像の統計量に基づいて決定された発光輝度が分割領域間で異なることにより生じる前記画面内の温度ムラが低減するように、表示する画像の切り替えが行われる期間である切り替え期間における前記分割領域毎の発光輝度が決定される
ことを特徴とする表示装置の制御方法。
【請求項１３】
前記決定ステップでは、前記切り替え前の画像の統計量に基づいて他の分割領域よりも高い発光輝度を設定した分割領域に対して、前記切り替え期間における発光輝度として、前記切り替え前の画像の統計量に基づいて設定した発光輝度よりも低い値を設定する処理、及び、前記切り替え前の画像の統計量に基づいて他の分割領域よりも低い発光輝度を設定した分割領域に対して、前記切り替え期間における発光輝度として、前記切り替え前の画像の統計量に基づいて設定した発光輝度よりも高い値を設定する処理のうちの少なくとも一方の処理が行われる
ことを特徴とする請求項１２に記載の表示装置の制御方法。
【請求項１４】
前記決定ステップでは、前記切り替え前の画像の統計量に基づいて他の分割領域よりも高い発光輝度を設定した分割領域に対して、前記切り替え期間における発光輝度として、前記他の分割領域よりも低い発光輝度が設定される
ことを特徴とする請求項１２または１３に記載の表示装置の制御方法。
【請求項１５】
前記表示装置は、前記バックライトからの光を透過する表示パネルを有しており、
前記表示装置の制御方法は、前記決定ステップで決定された前記切り替え期間における前記分割領域毎の発光輝度に基づいて、前記切り替え期間における前記画面上の輝度ムラが低減するように、前記表示パネルの透過率を制御する表示パネル制御ステップをさらに有する
ことを特徴とする請求項１２〜１４のいずれか１項に記載の表示装置の制御方法。
【請求項１６】
前記表示パネルは、画像信号に応じた透過率で前記バックライトからの光を透過することにより画像を表示するものであり、
前記表示パネル制御ステップでは、前記決定ステップで決定された前記切り替え期間における前記分割領域毎の発光輝度に基づいて、前記切り替え期間に表示する画像を表す画像信号が補正される
ことを特徴とする請求項１５に記載の表示装置の制御方法。
【請求項１７】
前記切り替え期間には、輝度が一様の画像が表示される
ことを特徴とする請求項１２〜１６のいずれか１項に記載の表示装置の制御方法。
【請求項１８】
前記切り替え期間には、黒画像が表示される
ことを特徴とする請求項１２〜１７のいずれか１項に記載の表示装置の制御方法。
【請求項１９】
前記決定ステップでは、輝度が一様な帯状領域を有する画像から、当該帯状領域を有さない画像へ、表示する画像が切り替えられる際に、前記画面内の温度ムラが低減するように、前記切り替え期間における前記分割領域毎の発光輝度が決定される
ことを特徴とする請求項１２〜１８のいずれか１項に記載の表示装置の制御方法。
【請求項２０】
前記決定ステップでは、前記切り替え前の画像の前記分割領域毎の統計量から決定された前記分割領域毎の発光輝度に基づいて、前記画面内の温度ムラが低減するように、前記切り替え期間における前記分割領域毎の発光輝度が決定される
ことを特徴とする請求項１２〜１９のいずれか１項に記載の表示装置の制御方法。
【請求項２１】
前記決定ステップでは、前記切り替え前の画像の前記分割領域毎の統計量に基づいて、前記画面内の温度ムラが低減するように、前記切り替え期間における前記分割領域毎の発光輝度が決定される
ことを特徴とする請求項１２〜１９のいずれか１項に記載の表示装置の制御方法。
【請求項２２】
前記表示装置は、前記バックライトの位置毎の温度を測定する温度センサを有しており、
前記決定ステップでは、前記温度センサで測定された前記位置毎の温度に基づいて、前記画面内の温度ムラが低減するように、前記切り替え期間における前記分割領域毎の発光輝度が決定される
ことを特徴とする請求項１２〜１９のいずれか１項に記載の表示装置の制御方法。
【請求項２３】
請求項１２〜２２のいずれか１項に記載の表示装置の制御方法の各ステップをコンピュータに実行させることを特徴とするプログラム。
【発明の詳細な説明】
【技術分野】
【０００１】
本発明は、表示装置、表示装置の制御方法、及び、プログラムに関する。
【背景技術】
【０００２】
発光ダイオード（ＬＥＤ：Ｌｉｇｈｔ  Ｅｍｉｔｔｉｎｇ  Ｄｉｏｄｅ）は、長寿命でかつ低消費電力であることから、近年では、表示装置のバックライトの光源として使用されている。
【０００３】
また、バックライト制御には、バックライトが有するＬＥＤ毎の発光強度（発光輝度）を画像信号に応じて個別に制御するローカルディミング制御がある。ローカルディミング制御を行うことにより、画像のコントラストを高め、かつ、表示装置の消費電力を低減することが可能となる。
ローカルディミング制御の応用例として、画像信号から黒帯領域（黒色の帯状領域；レターボックス等の領域）を検出し、検出した領域に対応する発光領域（バックライトの一部）を消灯させる制御がある（特許文献１参照）。
【０００４】
また、静止画像の表示には、複数の静止画像が一定間隔で順番に切り替えられて表示されるスライドショー表示がある。
【先行技術文献】
【特許文献】
【０００５】
【特許文献１】特開２００４−１８４９３７号公報
【発明の概要】
【発明が解決しようとする課題】
【０００６】
しかしながら、ローカルディミング制御を行いながら１枚の静止画像を長時間表示すると、各ＬＥＤの発光状態（ＬＥＤ間で発光輝度が互いに異なる状態）が長時間一定に保たれる。各ＬＥＤの発熱量は、発光輝度に依存する。そのため、ＬＥＤ間で発光輝度が互いに異なる状態が長時間一定に保たれると、表示装置内部に温度ムラ（画面内の温度ムラ）が生じてしまう。ＬＥＤは、周囲の温度によってその発光特性が変化する。そのため、表示する画像を切り替えた際に、上記温度ムラの影響により、切り替え後の画像の画質が劣化してしまう。具体的には、互いに異なる発光特性で各ＬＥＤが発光することにより、画面上の輝度や色度のムラ（面内ムラ）が生じてしまう。
そのため、スライドショー表示において、ローカルディミング制御を行いながら各静止画像が長時間表示される場合には、上記画質の劣化が生じてしまう。
【０００７】
また、ローカルディミング制御を行いながら黒帯領域を含む動画像を表示する場合、黒帯領域の発光輝度は一定に保たれる。そのため、ローカルディミング制御を行いながら黒帯領域を含む動画像を長時間表示すると、上記温度ムラが生じてしまう。その結果、表示する画像を切り替えた際に、切り替え後の画像の画質が劣化してしまう。
【０００８】
本発明は、画面内の温度ムラにより生じる画質の劣化を低減することのできる技術を提供することを目的とする。
【課題を解決するための手段】
【０００９】
本発明の表示装置は、
画面を分割して得られる分割領域毎に発光輝度を制御可能なバックライトを有する表示
装置であって、
分割領域毎に、その分割領域に表示される画像の統計量を取得する取得手段と、
前記取得手段で取得された前記分割領域毎の統計量に基づいて、前記分割領域毎の前記バックライトの発光輝度を決定する決定手段と、
前記分割領域毎に、前記決定手段で決定された発光輝度で前記バックライトを発光させるバックライト制御手段と、
を有し、
表示する画像が切り替えられる際に、前記決定手段は、切り替え前の画像の統計量に基づいて決定された発光輝度が分割領域間で異なることにより生じる前記画面内の温度ムラが低減するように、表示する画像の切り替えが行われる期間である切り替え期間における前記分割領域毎の発光輝度を決定する
ことを特徴とする。
【００１０】
本発明の表示装置の制御方法は、
画面を分割して得られる分割領域毎に発光輝度を制御可能なバックライトを有する表示装置の制御方法であって、
分割領域毎に、その分割領域に表示される画像の統計量を取得する取得ステップと、
前記取得ステップで取得された前記分割領域毎の統計量に基づいて、前記分割領域毎の前記バックライトの発光輝度を決定する決定ステップと、
前記分割領域毎に、前記決定ステップで決定された発光輝度で前記バックライトを発光させるバックライト制御ステップと、
を有し、
表示する画像が切り替えられる際に、前記決定ステップでは、切り替え前の画像の統計量に基づいて決定された発光輝度が分割領域間で異なることにより生じる前記画面内の温度ムラが低減するように、表示する画像の切り替えが行われる期間である切り替え期間における前記分割領域毎の発光輝度が決定される
ことを特徴とする。
【００１１】
本発明のプログラムは、上記表示装置の制御方法の各ステップをコンピュータに実行させることを特徴とする。
【発明の効果】
【００１２】
本発明によれば、画面内の温度ムラにより生じる画質の劣化を低減することができる。
【図面の簡単な説明】
【００１３】
【図１】実施例１に係る液晶表示装置の機能構成の一例を示すブロック図
【図２】実施例１に係るバックライトの構成の一例を示す図
【図３】実施例１に係るスライドショー表示の一例を示す図
【図４】実施例１に係る静止画像と第１発光輝度の一例を示す図
【図５】実施例１に係る切り替え画像と第２発光輝度の一例を示す図
【図６】実施例１に係る発光輝度選択部の構成の一例を示す図
【図７】実施例１に係るムラ補正部で補正される輝度ムラの一例を示す図
【図８】実施例２に係る液晶表示装置の機能構成の一例を示すブロック図
【図９】実施例２に係る入力画像信号の一例を示す図
【図１０】実施例２に係る切り替え期間か否かを示すフラグの一例を示す図
【図１１】実施例３に係る液晶表示装置の機能構成の一例を示すブロック図
【図１２】実施例４に係る液晶表示装置の機能構成の一例を示すブロック図
【図１３】実施例４に係る液晶表示装置の動作の一例を示す図
【発明を実施するための形態】
【００１４】
＜実施例１＞
以下に、本発明の実施例１に係る表示装置及びその制御方法について図面を用いて説明する。
本実施例では、ローカルディミング制御を行いながら１つの静止画像を長時間表示することにより画面内の温度ムラが生じる例について説明する。そして、表示する画像を切り替えた際に上記温度ムラによって生じる画質の劣化（切り替え後の静止画像の画質の劣化）を低減する例について説明する。特に、複数の静止画像が一定間隔で順番に切り替えられて表示されるスライドショー表示において、ローカルディミング制御を行いながら各静止画像が長時間表示される場合に生じる画質の劣化を低減する例について説明する。ローカルディミング制御は、入力画像信号に応じてバックライトの発光輝度を領域毎に制御するバックライト制御である。
なお、表示する画像の切り替えは、表示する画像データ自体の切り替えの他に、表示する画像のサイズなどの切り替えも含む。
【００１５】
図１は、本実施例に係る液晶表示装置の機能構成の一例を示すブロック図である。
液晶表示装置１００は、バックライト１０１、表示部１０２、統計量取得部１０３、発光輝度決定部１０４、表示制御部１０５、ムラ補正部１０６などを有する。
【００１６】
バックライト１０１は、画面を分割して得られる分割領域毎に発光輝度を制御可能な構成を有する。本実施例では、バックライト１０１は、分割領域毎に、光を発する発光部１０７を有する。具体的には、図２に示すように、バックライト１０１は、画面を水平方向５個×垂直方向４個に分割して得られる分割領域毎に、発光部１０７を有する。各発光部１０７は、個別に制御することができる。１つの発光部１０７は、１つまたは複数の光源を有する。光源は光を発するものであればどのようなものであってもよい。光源として、例えば、有機ＥＬ素子、ＬＥＤ、冷陰極管などを用いることができる。
【００１７】
表示部１０２は、画像信号に応じた透過率でバックライト１０１からの光を透過することにより画像を表示する表示パネル（本実施例では液晶パネル）である。
【００１８】
統計量取得部１０３は、表示対象の画像信号（入力画像信号）を取得する。そして、統計量取得部１０３は、分割領域毎に、その分割領域に表示される画像（入力画像信号）の統計量を取得する。入力画像信号は、外部から取得されてもよいし、液晶表示装置１００内に設けられた不図示の記憶部から取得されてもよい。統計量は、対応する分割領域に表示される画像のヒストグラム（画素値や輝度値のヒストグラム）や代表値（画素値や輝度値の代表値）などである。代表値は、平均値、最頻値、中間値、最小値、最大値などである。
【００１９】
発光輝度決定部１０４は、統計量取得部１０３で取得された分割領域毎の統計量に基づいて、分割領域毎のバックライト１０１の発光輝度を決定する。また、表示する画像が切り替えられる際には、表示する画像の切り替えが行われる切り替え期間が設定される。発光輝度決定部１０４は、切り替え前の画像の統計量に基づいて決定された発光輝度が分割領域間で異なることにより生じる画面内の温度ムラが低減するように、切り替え期間における分割領域毎の発光輝度を決定する。具体的には、以下の第１処理と第２処理の少なくともいずれかが行われる。分割領域毎の発光輝度の総変更量が同じ場合、第１処理と第２処理の両方を行った方が、一方を行うよりも温度ムラをより早く低減することができる。
第１処理：切り替え前の画像の統計量に基づいて他の分割領域よりも高い発光輝度を設定した分割領域に対して、切り替え期間における発光輝度として、切り替え前の画像の統計量に基づいて設定した発光輝度よりも低い値を設定する処理
第２処理：切り替え前の画像の統計量に基づいて他の分割領域よりも低い発光輝度を設定した分割領域に対して、切り替え期間における発光輝度として、切り替え前の画像の統
計量に基づいて設定した発光輝度よりも高い値を設定する処理
そして、発光輝度決定部１０４は、分割領域毎に、上記決定した発光輝度でバックライト１０１を発光させるバックライト制御を行う。
なお、発光輝度の決定と、バックライト制御とは、互いに異なる機能部によって行われてもよい。
【００２０】
発光輝度決定部１０４は、第１発光輝度決定部１０８、第２発光輝度決定部１０９、及び、発光輝度選択部１１０を有する。
第１発光輝度決定部１０８は、入力画像信号に基づく画像を表示する際の、分割領域毎の発光輝度（第１発光輝度）を決定する。具体的には、第１発光輝度決定部１０８は、統計量取得部１０３で取得された分割領域毎の統計量に基づいて、分割領域毎の第１発光輝度を決定する。本実施例では、分割領域毎に、その分割領域の統計量に応じて、当該分割領域の第１発光輝度が決定される。
なお、第１発光輝度の決定方法はこれに限らない。例えば、１つの分割領域に対する第１発光輝度は、複数の分割領域の統計量に基づいて決定されてもよい。具体的には、決定対象の分割領域と、当該分割領域に隣接する分割領域との統計量に基づいて、当該決定対象の分割領域の第１発光輝度が決定されてもよい。
なお、本実施例では、演算により第１発光輝度が算出されるものとするが、演算を行わずに第１発光輝度が決定されてもよい。例えば、所定のテーブル（統計量と第１発光輝度の対応関係を表すテーブル）を用いて第１発光輝度が決定されてもよい。
【００２１】
第２発光輝度決定部１０９は、切り替え期間における分割領域毎の発光輝度（第２発光輝度）を決定する。本実施例では、第２発光輝度決定部１０９は、切り替え前の画像の分割領域毎の統計量から決定された分割領域毎の第１発光輝度に基づいて、切り替え期間において画面内の温度ムラが低減するように、分割領域毎の第２発光輝度を決定する。具体的には、第２発光輝度決定部１０９は、切り替え前の画像の統計量に基づいて他の分割領域よりも高い第１発光輝度が設定された分割領域に対して、第２発光輝度として、他の分割領域よりも低い発光輝度を設定する。
【００２２】
発光輝度選択部１１０は、第１発光輝度と、第２発光輝度のいずれかを選択し、選択した発光輝度でバックライト１０１を発光させる。具体的には、発光輝度選択部１１０は、入力画像信号に基づく画像の表示期間では、第１発光輝度を選択し、分割領域毎に、第１発光輝度でバックライト１０１を発光させる。また、発光輝度選択部１１０は、切り替え期間では、第２発光輝度を選択し、分割領域毎に、第２発光輝度でバックライト１０１を発光させる。
【００２３】
表示制御部１０５は、ユーザ操作などに応じて生成されたフラグＦ１の入力に応じて、スライドショー表示のための制御（スライドショー表示制御）を行う。フラグＦ１は、スライドショー表示の開始を指示するフラグである。なお、スライドショー表示の開始の指示は、フラグ以外の信号によって行われてもよい。
なお、フラグＦ１は、自動で生成されてもよい。
【００２４】
ムラ補正部１０６は、入力画像信号を取得し、当該入力画像信号を表示部１０２に出力する。但し、切り替え期間では、ムラ補正部１０６は、分割領域毎の第２発光輝度に基づいて、当該切り替え期間における画面上の輝度ムラが低減するように、表示部１０２の透過率を制御（表示パネル制御）する。具体的には、ムラ補正部１０６は、分割領域毎の第２発光輝度に基づいて、切り替え期間に表示する所定の画像（切り替え画像）を表す切り替え画像信号を補正する。そして、切り替え期間では、ムラ補正部１０６は、補正後の切り替え画像信号を表示部１０２に出力する。
なお、本実施例では、切り替え画像が、輝度が一様な画像であるものとするが、切り替
え画像は、輝度が一様な画像に限らない。切り替え画像は、表示する画像の切り替え中であることを表す画像であればよい。
【００２５】
本実施例に係る液晶表示装置１００の動作の一例について説明する。
本実施例では、図３に示すスライドショー表示が実行されるものとする。
図３では、静止画像Ａが一定時間（図中の期間Ｔ１）表示された後、表示する画像が静止画像Ｂに切り替えられる。静止画像Ａを表示する期間Ｔ１と、静止画像Ｂを表示する期間Ｔ３との間には、切り替え期間Ｔ２が設けられている。
スライドショー表示の開始は、例えば、ユーザによって指示される。ユーザがスライドショー表示を開始する操作を行うと、表示制御部１０５は、その操作をフラグＦ１として受信する。
表示制御部１０５は、フラグＦ１を受信すると、表示対象の複数の静止画像が順番に取得され、順番に表示されるように、統計量取得部１０３とムラ補正部１０６へ指示を送る。
また、表示制御部１０５は、切り替え期間を表す信号であるフラグＦ２を発光輝度選択部１１０とムラ補正部１０６へ出力する。本実施例では、表示制御部１０５は、静止画像を表示する期間Ｔ１，Ｔ３では、フラグＦ２＝０を出力し、切り替え期間Ｔ２では、フラグＦ２＝１を出力する。
【００２６】
なお、切り替え期間を表す信号はフラグＦ２に限らない。例えば、切り替え期間を表す信号は、切り替え期間内でのみ生成、出力されてもよい。切り替え期間を表す信号は、切り替え期間の開始タイミングと終了タイミングでのみ生成、出力されてもよい。切り替え期間の長さが予め決まっている場合には、切り替え期間を表す信号は、切り替え期間の開始タイミングでのみ生成、出力されてもよい。切り替え期間を表す信号は、表示する画像を切り替えるユーザ操作に応じて生成、出力されてもよい。切り替え期間が予め決まっている場合には、切り替え期間を表す信号は、１つ（次回）の切り替え期間または複数の切り替え期間それぞれの開始時刻と長さ（または開始時刻と終了時刻）を表す信号であってもよい。切り替え期間を表す信号はフラグ以外の信号であってもよい。
【００２７】
また、切り替え期間の長さは予め定められていてもよいが、これに限らない。例えば、切り替え前の画像の表示時間が長いほど大きな温度ムラが発生するため、切り替え前の画像の表示時間が長いほど長い切り替え期間が設定されてもよい。また、分割領域毎の第１発光輝度のばらつきが大きいほど大きな温度ムラが発生するため、分割領域毎の第１発光輝度のばらつきが大きいほど長い切り替え期間が設定されてもよい。
【００２８】
統計量取得部１０３は、静止画像Ａの取得及び表示が指示されると、静止画像Ａの信号を取得し、分割領域毎に、静止画像Ａの統計量を取得する。
そして、第１発光輝度決定部１０８は、上記取得された分割領域毎の統計量に基づいて、分割領域毎の第１発光輝度を算出する。第１発光輝度は、ローカルディミング制御のための発光輝度である。
【００２９】
一般的に、ローカルディミング制御では、所定の明るさより暗い画像（例えば、信号レベルや平均輝度値（ＡＰＬ）が所定値未満の画像）が表示される分割領域に対して、発光輝度として、第１基準値よりも低い値が設定される。そして、所定の明るさより明るい画像（例えば、信号レベルやＡＰＬが所定値以上の画像）が表示される分割領域に対しては、発光輝度として、第１基準値が設定される。本実施例では、このようなローカルディミング制御が行われるものとする。具体的には、本実施例では、ＡＰＬが所定値以上の場合に、発光輝度として、第１基準値が設定され、ＡＰＬが所定値未満の場合に、発光輝度として、第１基準値より低い値が設定されるものとする。
但し、ローカルディミング制御はこれに限らない。暗い画像が表示される分割領域に対
して第１基準値が設定され、明るい画像が表示される分割領域に対して第１基準値よりも高い値が設定されてもよい。暗い画像が表示される分割領域に対して第１基準値よりも低い値が設定され、明るい画像が表示される分割領域に対して第１基準値よりも高い値が設定されてもよい。
【００３０】
図４（ａ）に示すように、静止画像Ａは、画像の領域である画像領域Ａ１とレターボックスの領域である黒帯領域Ａ２とからなる。画像領域Ａ１は、各画素の輝度が所定値以上の領域であり、黒帯領域Ａ２は、各画素の輝度が所定値未満の領域である。また、画像領域Ａ１と黒帯領域Ａ２の間の境界と分割領域間の境界とが一致している。
図４（ｂ）に示すように、画像領域Ａ１のみが表示される分割領域Ｂ１に対しては、当該分割領域に表示される画像のＡＰＬが所定値以上となるため、第１発光輝度として、第１基準値が設定される。そして、黒帯領域Ａ２のみが表示される分割領域Ｂ２に対しては、当該分割領域に表示される画像のＡＰＬが所定値未満となるため、第１発光輝度として、第１基準値よりも低い値が設定される。
分割領域毎のバックライトの発光輝度を第１発光輝度として静止画像Ａを表示することにより、黒帯領域Ａ２の輝度が低減されるため、コントラスト比を向上することができる。
なお、本実施例ではＡＰＬに基づいて第１発光輝度が決定されるものとしたが、これに限らない。ＡＰＬ以外の統計量に基づいて第１発光輝度が決定されてもよい。第１発光輝度の決定方法として、従来提案されているローカルディミング制御における発光輝度の決定方法を用いることができる。
なお、本実施例では、説明を簡略化するために、画像領域Ａ１と黒帯領域Ａ２の間の境界と分割領域間の境界とが一致しているものとしたが、それらは一致していなくてもよい。
なお、本実施例では、説明を簡略化するために、画像領域Ａ１の各画素の輝度が所定値以上であるものとしたが、画像領域Ａ１に、輝度が所定値未満の画素を含んでいてもよい。
【００３１】
分割領域毎の第１発光輝度を決定すると、第１発光輝度決定部１０８は、分割領域毎の第１発光輝度を、第２発光輝度決定部１０９と発光輝度選択部１１０に送信する。
そして、第２発光輝度決定部１０９は、分割領域毎の第１発光輝度に基づいて、分割領域毎の第２発光輝度を算出する。
ここで、分割領域毎の発光輝度を第１発光輝度とした状態を維持すると、画像領域Ａ１のみが表示される分割領域と、黒帯領域Ａ２のみが表示される分割領域とで発光輝度が異なることにより、画面内の温度ムラが生じる。発光輝度が高いほどバックライトの発熱量が増すとすると、画像領域Ａ１の温度が黒帯領域Ａ２の温度よりも高い温度ムラが生じる。
第２発光輝度決定部１０９は、そのような温度ムラが低減されるような発光輝度を、第２発光輝度として算出する。
【００３２】
第２発光輝度決定部１０９は、例えば、分割領域毎に、式１または式２を用いて第２発光輝度を算出する。式１，２において、Ｌｕ＿２は第２発光輝度、Ｌｕ＿ｓｔは第２基準値、Ｌｕ＿１は第１発光輝度、αは重み係数である。なお、第２基準値は、上述した第１基準値と同じ値であってもよいし、第１基準値と異なる値であってもよい。
Ｌｕ＿ｓｔ≧Ｌｕ＿１の場合：
Ｌｕ＿２＝（Ｌｕ＿ｓｔ−Ｌｕ＿１）×α＋Ｌｕ＿ｓｔ  ・・・（式１）
Ｌｕ＿ｓｔ＜Ｌｕ＿１の場合：
Ｌｕ＿２＝Ｌｕ＿ｓｔ−（Ｌｕ＿１−Ｌｕ＿ｓｔ）×α  ・・・（式２）
【００３３】
式１，２によれば、他の分割領域よりも高い第１発光輝度が設定された分割領域に対して、他の分割領域よりも低い第２発光輝度が設定される。具体的には、第１発光輝度が基準値以下の場合には、基準値以上の第２発光輝度が設定される。更に、第１発光輝度が基準値以下の場合には、第１発光輝度が小さいほど大きい第２発光輝度が設定される。第１発光輝度が基準値より大きい場合には、基準値未満の第２発光輝度が設定される。更に、第１発光輝度が基準値より大きい場合には、第１発光輝度が大きいほど小さい第２発光輝度が設定される。
そのような第２の発光輝度でバックライトを発光させることにより、他の領域よりも温度が高い領域の発熱量（ひいては温度）を下げたり、他領域よりも温度が低い領域の発熱量（ひいては温度）を上げたりできる。その結果、上記温度ムラを低減することができる。
なお、第２発光輝度の決定方法は上記方法に限らない。例えば、第２発光輝度は、式１，２とは異なる関数を用いて算出されてもよい。また、第２発光輝度は、所定のテーブル（第１発光輝度と第２発光輝度の対応関係を表すテーブル）を用いて決定されてもよい。１つの分割領域に対する第２発光輝度は、複数の分割領域の第１発光輝度に基づいて決定されてもよい。具体的には、決定対象の分割領域と、当該分割領域に隣接する分割領域との第１発光輝度に基づいて、当該決定対象の分割領域の第２発光輝度が決定されてもよい。
【００３４】
ここで、第２基準値と第１基準値が同じ値であり、重み係数αが１であるとする。また、黒帯領域Ａ２のみが表示される分割領域Ｂ２の第１発光輝度は、第２基準値の半分（０．５倍）の発光輝度であるとする。
画像領域Ａ１のみ表示される分割領域Ｂ１の第１発光輝度は第１基準値（＝第２基準値）であり、分割領域Ｂ２の第１発光輝度は第２基準値より小さい値である。そのため、分割領域Ｂ１の第２発光輝度と、分割領域Ｂ２の第２発光輝度とは、いずれも式１を用いて算出される。
その結果、図５（ｂ）に示すように、分割領域Ｂ１に対しては、第２発光輝度として、第２基準値（＝第１基準値）が設定される。そして、分割領域Ｂ２に対しては、第２発光輝度として、第２基準値の１．５倍の発光輝度が設定される。発光輝度が高いほどバックライトの発熱量が増すとすると、上記第２発光輝度でバックライトを発光させることにより、黒帯領域Ａ２の温度を高めること（黒帯領域Ａ２の温度を画像領域Ａ１の温度に近づけること）ができ、温度ムラを低減することができる。
分割領域Ｂ１の第２発光輝度の算出方法を式３−１に示す。分割領域Ｂ２の第２発光輝度の算出方法を式３−２に示す。
Ｌｕ＿２＝（Ｌｕ＿ｓｔ−Ｌｕ＿１）×α＋Ｌｕ＿ｓｔ
＝（Ｌｕ＿ｓｔ−Ｌｕ＿ｓｔ）＋Ｌｕ＿ｓｔ
＝Ｌｕ＿ｓｔ
・・・（式３−１）
Ｌｕ＿２＝（Ｌｕ＿ｓｔ−Ｌｕ＿１）×α＋Ｌｕ＿ｓｔ
＝（Ｌｕ＿ｓｔ−０．５×Ｌｕ＿ｓｔ）＋Ｌｕ＿ｓｔ
＝１．５×Ｌｕ＿ｓｔ
・・・（式３−２）
【００３５】
なお、重み係数αは、メーカやユーザによって予め定められた値であってもよいし、切り替え期間の長さに応じて自動で設定された値であってもよい。重み係数αの値が大きい場合には、小さい場合よりも早く温度ムラを低減することができる。そのため、切り替え
期間が短い場合には、重み係数αの値として大きい値を設定することが好ましい。
なお、第１基準値と第２基準値は、メーカやユーザによって予め設定されてもよいし、液晶表示装置１００の設置環境、表示する画像の内容や種類などに応じて自動で設定されてもよい。
【００３６】
分割領域毎の第２発光輝度を決定すると、第２発光輝度決定部１０９は、分割領域毎の第２発光輝度を、発光輝度選択部１１０とムラ補正部１０６に送信する。
そして、発光輝度選択部１１０は、図６に示すように、フラグＦ２に応じて、分割領域毎の第１発光輝度Ｌｕ＿１と、分割領域毎の第２発光輝度Ｌｕ＿２とのいずれかを選択し、分割領域毎の最終発光輝度Ｌｕ＿ｏｕｔとしてバックライト１０１に出力する。バックライト１０１は、分割領域毎に、最終発光輝度Ｌｕ＿ｏｕｔで発光する。
【００３７】
本実施例では、表示制御部１０５は、切り替え期間以外の期間ではフラグＦ２＝０を設定し、切り替え期間ではフラグＦ２＝１を設定する。そして、式４に示すように、発光輝度選択部１１０は、フラグＦ２＝０の場合に、分割領域毎の第１発光輝度Ｌｕ＿１を分割領域毎の最終発光輝度Ｌｕ＿ｏｕｔとして出力する。また、式５に示すように、発光輝度選択部１１０は、フラグＦ２＝１の場合に、分割領域毎の第２発光輝度Ｌｕ＿２を分割領域毎の最終発光輝度Ｌｕ＿ｏｕｔとして出力する。
Ｆ２＝０の場合：Ｌｕ＿ｏｕｔ＝Ｌｕ＿１  ・・・（式４）
Ｆ２＝１の場合：Ｌｕ＿ｏｕｔ＝Ｌｕ＿２  ・・・（式５）
【００３８】
ムラ補正部１０６は、分割領域毎の第２発光輝度が入力されると、分割領域毎の第２発光輝度に基づいて、切り替え期間に表示する画像（切り替え画像）を表す切り替え画像信号を補正する。本実施例では、分割領域毎に第２発光輝度でバックライトを発光させることにより生じる輝度ムラ（面内輝度ムラ）を、切り替え画像信号を補正することにより低減する。
具体的には、図５（ｂ）に示すように、分割領域Ｂ１の第２発光輝度を第１基準値とし、分割領域Ｂ２の第２発光輝度を第１基準値の１．５倍とし、図５（ａ）に示すような画像を表示しようとすると、図７に示すような輝度ムラが生じてしまう。図７の例では、黒帯領域Ａ２であった領域が画像領域Ａ１であった領域に対して明るくなるような輝度ムラが生じている。
そこで、ムラ補正部１０６は、分割領域Ｂ２と分割領域Ｂ１の第２発光輝度の差を補うように、分割領域Ｂ２に表示される画像の信号レベル（画素値）を補正する。具体的には、分割領域Ｂ２に表示される画像の表示輝度（画面上の輝度）が２／３に低下するように、分割領域Ｂ２に表示される画像の信号レベルを補正する。それにより、切り替え期間Ｔ２に、輝度ムラを発生させることなく上記切り替え画像を表示することができる。
【００３９】
また、ムラ補正部１０６は、表示制御部１０５からの静止画像の取得及び表示の指示に応じて静止画像の信号を取得する。そして、フラグＦ２＝０の場合に、取得した静止画像の信号を表示部１０２に出力し、フラグＦ２＝１の場合に、補正後の切り替え画像信号を表示部１０２に出力する。
【００４０】
これにより、期間Ｔ１では、分割領域毎に、第１発光輝度Ｌｕ＿１でバックライト１０１が発光され、高いコントラスト比で静止画像Ａが表示される。
また、期間Ｔ２では、第２発光輝度Ｌｕ＿２でバックライト１０１が発光され、期間Ｔ１で生じた温度ムラが期間Ｔ２で低減される。更に、補正後の切り替え画像信号に基づく画像が表示されるため、第２発光輝度Ｌｕ＿２でバックライト１０１を発光することによる輝度ムラが低減される。
そして、期間Ｔ３では、分割領域毎に、第１発光輝度Ｌｕ＿１（静止画像Ｂの統計量に基づく第１発光輝度）でバックライト１０１が発光され、高いコントラスト比で静止画像Ｂが表示される。また、期間Ｔ１で生じた温度ムラが期間Ｔ２で低減されているため、静止画像Ｂの画質の劣化（輝度ムラや色ムラ）は低減される。
なお、静止画像Ｂの取得、静止画像Ｂの統計量の取得、静止画像Ｂの統計量に基づく第１発光輝度の算出は、例えば、期間Ｔ２に行われる。
【００４１】
以上述べたように、本実施例によれば、切り替え前の画像の統計量に基づいて決定された発光輝度が分割領域間で異なることにより生じる画面内の温度ムラが低減するように、切り替え期間における分割領域毎の発光輝度が決定される。それにより、画面内の温度ムラにより生じる画質の劣化を低減することができる。
【００４２】
なお、本実施例では、表示装置が液晶表示装置である場合の例を説明したが、表示装置は、液晶表示装置に限らない。表示装置は、独立した光源からの光によって画像を表示する表示装置であればよい。
【００４３】
なお、本実施例では、切り替え前の画像の統計量に基づいて他の分割領域よりも高い発光輝度を設定した分割領域に対して、切り替え期間における発光輝度として、当該他の分割領域よりも低い発光輝度が設定されるものとした。このような構成とすれば、切り替え期間に上記温度ムラを素早く低減することができる。しかしながら、切り替え期間における発光輝度はこれに限らない。切り替え期間における発光輝度は、上記温度ムラを低減させることのできる発光輝度であれば、どのような発光輝度であってもよい。例えば、切り替え期間では、全ての分割領域に対して同じ発光輝度が設定されてもよい。また、切り替え期間では、全ての分割領域のバックライトが消灯されてもよい。
【００４４】
なお、本実施例では、切り替え画像信号を補正する（切り替え画像信号に画像処理を施す）ことにより、切り替え期間における輝度ムラを低減する構成としたが、この構成に限らない。例えば、表示部１０２とは別に、バックライトからの光を透過する表示パネルを設け、当該表示パネルの透過率を制御することにより、切り替え期間における輝度ムラが低減されてもよい。また、切り替え期間に黒画像を表示すれば、黒画像は輝度ムラが見えにくい画像であるため、上述した画像信号の補正や透過率の制御は不要となる。その結果、構成を簡易化することができる。また、切り替え期間の輝度ムラを許容する場合にも、上述した画像信号の補正や透過率の制御は不要となる。
【００４５】
なお、本実施例では、黒帯領域を有する静止画像から黒帯領域を有さない静止画像への切り替えについて説明したが、切り替え前後の画像はこれらに限らない。例えば、以下の４つの切り替えのいずれの切り替えにおいても、上記効果を得ることができる。
・黒帯領域を有する静止画像から黒帯領域を有する静止画像への切り替え
・黒帯領域を有する静止画像から黒帯領域を有さない静止画像への切り替え
・黒帯領域を有さない静止画像から黒帯領域を有する静止画像への切り替え
・黒帯領域を有さない静止画像から黒帯領域を有さない静止画像への切り替え
また、静止画像から動画像へ表示を切り替え、動画像から静止画像への切り替え、及び、動画像から他の動画像への切り替えにおいても上記効果を得ることができる。
【００４６】
＜実施例２＞
以下に、本発明の実施例２に係る表示装置及びその制御方法について図面を用いて説明する。本実施例では、動画像から他の動画像へ表示する画像が切り替えられる場合の例を説明する。なお、実施例１でも述べたように、表示する画像の切り替えは、表示する画像データ自体の切り替えの他に、表示する画像のサイズなどの切り替えも含む。
ローカルディミング制御を行いながら動画像を表示する場合、フレーム単位で第１発光
輝度が更新されるため、大きな温度ムラ（目立った画質の劣化を招く温度ムラ）は生じにくい。しかしながら、動画像がレターボックスなどの帯状領域（輝度が一様な帯状領域）を含む場合、帯状領域の第１発光輝度は一定に保たれる。そのため、帯状領域を含む動画像を長時間表示すると、大きな温度ムラが発生してしまう。
そこで、本実施例では、輝度が一様な帯状領域を有する画像から、当該帯状領域を有さない画像へ、表示する画像が切り替えられるときにのみ分割領域毎の第２発光輝度でバックライトを発光させ、画面内の温度ムラを低減させる。
【００４７】
図８は、本実施例に係る液晶表示装置の機能構成の一例を示すブロック図である。
図８の液晶表示装置２００は、実施例１（図１）の機能部の他に、黒帯検出部２１１をさらに有する。但し、図８の液晶表示装置は、実施例１（図１）の表示制御部１０５を有していない。なお、実施例１と同じ機能には同じ符号を付し、その説明は省略する。
【００４８】
黒帯検出部２１１は、入力画像信号に基づいて、当該入力画像信号が黒帯領域を有する動画像の信号か否かを判断する。黒帯領域は、例えば、図９に示すようなレターボックス等の領域である。そして、黒帯領域を有する動画像から、黒帯領域を有さない動画像へ、表示する動画像が切り替えられる際に、黒帯検出部２１１は、切り替え期間を設定し、切り替え期間においてフラグＦ２＝１を発光輝度選択部１１０へ出力する。また、上記切り替え期間以外の期間において、黒帯検出部２１１は、フラグＦ２＝０を発光輝度選択部１１０へ出力する。
【００４９】
図１０に、フラグＦ２の一例を示す。
図１０では、期間Ｔ１に、黒帯領域を有する動画像が入力される。そのため、期間Ｔ１では、フラグＦ２＝０が出力され、実施例１で述べた処理と同様の処理により、黒帯領域を有する動画像が、コントラスト比が向上されて表示される。
その後、時刻Ｔｃで、黒帯領域を有する動画像から、黒帯領域を有さない動画像への切り替えが発生する。そのため、時刻Ｔｃを始点とする切り替え期間Ｔ２が設定される。期間Ｔ２では、フラグＦ２＝１が出力され、実施例１と同様の処理により、画面内の温度ムラが低減される。
そして、期間Ｔ２後に、切り替え後の動画像（黒帯領域を有さない動画像）の表示が開始される。切り替え期間Ｔ２後には、フラグＦ２＝０が出力され、実施例１で述べた処理と同様の処理により、黒帯領域を有さない動画像が、コントラスト比が向上されて表示される。また、期間Ｔ２において温度ムラが低減されているため、黒帯領域を有さない動画像は、輝度ムラや色ムラが低減されて表示される。
【００５０】
なお、切り替え期間の長さは予め定められていてもよいし、そうでなくてもよい。例えば、切り替え前の動画像（黒帯領域を有する動画像）の表示時間が長いほど大きな温度ムラが発生するため、切り替え前の動画像の表示時間が長いほど長い切り替え期間が設定されてもよい。また、黒帯領域の第１発光輝度と、黒帯領域以外の領域の第１発光輝度との差が大きいほど大きな温度ムラが発生するため、黒帯領域の第１発光輝度と、黒帯領域以外の領域の第１発光輝度との差が大きいほど長い切り替え期間が設定されてもよい。
【００５１】
上述したように、輝度が一様な帯状領域を含む動画像を表示する場合、大きな温度ムラが発生する可能性が高い。一方、帯状領域を含まない動画像を表示する場合、大きな温度ムラが発生する可能性は低い。本実施例によれば、輝度が一様な帯状領域を有する画像から、当該帯状領域を有さない画像へ、表示する画像が切り替えられるときにのみ、画面内の温度ムラが低減される。それにより、動画像から動画像への切り替えにおいて、画面内の温度ムラによる画質の劣化を効率よく低減することができる。例えば、帯状領域を含む動画像から帯状領域を含まない動画像への切り替え以外の切り替えにおいては、温度ムラを低減するための処理が省略されるため、処理負荷を低減できる。
【００５２】
なお、切り替え期間は、黒帯領域を有さない動画像から、黒帯領域を有さない動画像へ、表示する動画像が切り替えられるときだけでなく、表示される画像が切り替えられる時には必ず設定されてもよい。その場合、黒帯領域を有さない動画像から、黒帯領域を有さない動画像への切り替え以外の切り替えに対応する切り替え期間では、バックライトの発光輝度はどのように設定されてもよい。例えば、黒帯領域を有さない動画像から、黒帯領域を有さない動画像への切り替え以外の切り替えに対応する切り替え期間では、バックライトは、切り替え前または切り替え後の画像の統計量に基づく第１発光輝度で発光されてもよい。
【００５３】
なお、本実施例では動画像から動画像への切り替えについて説明したが、切り替え前の画像と、切り替え後の画像の少なくとも一方が静止画像であってもよい。第１発光輝度が互いに等しい（近い）複数の分割領域が一部に集中しているときのほうが、そのような複数の分割領域が互いに離れているときよりも、温度ムラが発生しやすい。帯状領域を含む画像を表示する場合、帯状領域部分では分割領域間で第１発光輝度が互いに等しくなる。即ち、第１発光輝度が互いに等しい複数の分割領域が一部に集中する。そのため、帯状領域を含む静止画像を表示する場合の方が、帯状領域を含まない静止画像を表示する場合よりも、大きな温度ムラが発生する可能性が高いと考えられる。そして、帯状領域を有する静止画像から、帯状領域を有さない画像（静止画像または動画像）へ切り替えられるときにのみ温度ムラを低減することにより、画質の劣化を効率よく低減することができる。
【００５４】
なお、静止画像から他の画像への切り替えが行われる際、及び、黒帯領域を有する動画像から他の画像への切り替えが行われる際に、温度ムラを低減する処理が行われ、それ以外の切り替えが行われる際には、温度ムラを低減する処理は行われなくてもよい。
【００５５】
なお、本実施例では、輝度が一様な帯状領域の色が黒色である場合の例を説明したが、帯状領域の色は黒色でなくてもよい。例えば、帯状領域の色は灰色、緑色、白色などであってもよい。
【００５６】
＜実施例３＞
以下に、本発明の実施例３に係る表示装置及びその制御方法について図面を用いて説明する。本実施例では、第２発光輝度の決定方法が実施例１，２と異なる。
【００５７】
図１１は、本実施例に係る液晶表示装置の機能構成の一例を示すブロック図である。
図１１の液晶表示装置３００は、実施例１（図１）の第２発光輝度決定部１０９の代わりに、統計量変換部３１１と第２発光輝度決定部３０９を有する。なお、実施例１と同じ機能には同じ符号を付し、その説明は省略する。
【００５８】
統計量変換部３１１と第２発光輝度決定部３０９は、切り替え前の画像の分割領域毎の統計量（統計量取得部１０３で取得された統計量；第１統計量）に基づいて、画面内の温度ムラが低減するように、分割領域毎の第２発光輝度を決定する。
【００５９】
具体的には、統計量変換部３１１は、分割領域毎の第１統計量を、分割領域毎の第２統計量に変換する。
ここでは、図４（ａ）に示す静止画像から、分割領域毎の第１統計量として、８ビット精度（０〜２５５の２５６階調）のＡＰＬが取得されたとする。そして、図４（ｂ）に示す分割領域Ｂ１の第１統計量（ＡＰＬ）が２５０であり、分割領域Ｂ２の第１統計量が１５であったとする。
この場合、第１発光輝度決定部１０８では、分割領域毎に、ＡＰＬが高いほど高い第１発光輝度が決定される。そのため、分割領域Ｂ１の第１発光輝度は、分割領域Ｂ２の第１
発光輝度よりも低い値となる。このような分割領域毎の第１発光輝度でバックライト１０１を発光させることにより、温度ムラが発生してしまう。
そこで、統計量変換部３１１は、分割領域Ｂ１の統計量の値が、分割領域Ｂ２の統計量の値よりも小さくなるように、第１統計量を第２統計量に変換する。本実施例では、統計量変換部３１１は、分割領域毎に、式６を用いて、第１統計量（ＡＰＬ＿１）を第２統計量（ＡＰＬ＿２）に変換する。そして、統計量変換部３１１は、分割領域毎の第２統計量を、第２発光輝度決定部３０９に送信する。
ＡＰＬ＿２＝２５５−ＡＰＬ＿１  ・・・（式６）
【００６０】
第２発光輝度決定部３０９は、第１発光輝度決定部１０８と同様の処理により、第２統計量から第２発光輝度を算出する。
ここで、分割領域Ｂ１の統計量の値は、分割領域Ｂ２の統計量の値よりも小さくされている。そのため、分割領域Ｂ１の第２発光輝度は、分割領域Ｂ２の第２発光輝度よりも高い値となる。このような分割領域毎の第２発光輝度でバックライト１０１を発光させることにより、上記温度ムラを低減することができる。
なお、第２発光輝度の決定方法は上記方法に限らない。例えば、第２発光輝度は、式６とは異なる関数を用いて算出されてもよい。第１統計量を第２統計量に変換せずに、第１統計量から直接第２発光輝度が決定されてもよい。第２発光輝度は、所定のテーブル（第１統計量と第２発光輝度の対応関係を表すテーブル、または、第２統計量と第２発光輝度の対応関係を表すテーブル）を用いて決定されてもよい。１つの分割領域に対する第２発光輝度は、複数の分割領域の第１統計量に基づいて決定されてもよい。具体的には、決定対象の分割領域と、当該分割領域に隣接する分割領域との第１統計量に基づいて、当該決定対象の分割領域の第２発光輝度が決定されてもよい。
【００６１】
以上述べたように、本実施例によれば、統計量取得部１０３で取得された分割領域毎の統計量に基づいて、分割領域毎の第２発光輝度が決定される。そして、実施例１と同様に、画面内の温度ムラにより生じる画質の劣化を低減することができる。
なお、本実施例における第２発光輝度の決定方法を、実施例２に係る表示装置に適用してもよい。
【００６２】
＜実施例４＞
以下に、本発明の実施例３に係る表示装置及びその制御方法について図面を用いて説明する。本実施例では、第２発光輝度の決定方法が実施例１〜３と異なる。
【００６３】
図１２は、本実施例に係る液晶表示装置の機能構成の一例を示すブロック図である。
図１２の液晶表示装置４００は、実施例１（図１）の機能部の他に、温度検出部４１１をさらに有する。なお、実施例１と同じ機能には同じ符号を付し、その説明は省略する。
温度検出部４１１は、バックライト１０１の位置毎の温度を測定する温度センサである。具体的には、温度検出部４１１は、１つまたは複数の分割領域毎（１つまたは複数の発光部毎）に設けられた温度センサである。
第２発光輝度決定部４０９は、温度検出部４１１で測定された上記位置毎の温度に基づいて、画面内の温度ムラが低減するように、切り替え期間における分割領域毎の発光輝度（第２発光輝度）を決定する。
【００６４】
第２発光輝度決定部４０９は、分割領域毎に、その分割領域に対応する位置の温度（温度検出部４１１の測定値）と基準温度とを比較することにより、第２発光輝度を算出する。
基準温度は、メーカやユーザによって予め設定されてもよいし、液晶表示装置１００の
設置環境、表示する画像の内容や種類などに応じて自動で設定されてもよい。本実施例では、基準温度が、実施例１に記載の発光輝度の第２基準値に対応する温度であるものとする。
【００６５】
本実施例に係る液晶表示装置４００の動作について、図１３（ａ），１３（ｂ）を用いて説明する。
図１３（ａ）は、１つの分割領域におけるバックライト１０１の発光輝度の一例を示す。
図１３（ｂ）は、上記１つの分割領域に対応する位置の温度（温度検出部４１１の測定値）の一例を示す。
図１３（ａ），１３（ｂ）において、期間Ｔ１は静止画像が表示される期間である。そのため、期間Ｔ１では第１発光輝度でバックライト１０１が発光される。ここで、期間Ｔ１での第１発光輝度Ｌｕ＿１は第２基準値Ｌｕ＿ｓｔよりも低いため、期間Ｔ１での温度は基準温度Ｔｅ＿ｓｔよりも低い。このとき、第２発光輝度決定部４０９では、実施例１に記述した方法で第２発光輝度Ｌｕ＿２が算出される。
【００６６】
期間Ｔ２では、まず、実施例１に記述した方法で算出した第２発光輝度Ｌｕ＿２でバックライト１０１が発光される（図１３（ａ）の符号Ｍ）。このとき、第２発光輝度Ｌｕ＿２は第２基準値Ｌｕ＿ｓｔよりも高い低いため、温度は徐々に基準温度Ｔｅ＿ｓｔに近づく。
【００６７】
その後、第２発光輝度決定部４０９では、常時または所定時間おきに、温度検出部４１１で測定された温度と、基準温度との比較が行われ、比較結果に応じて第２発光輝度が調整される（図１３（ａ）の符号Ｎ）。具体的には、温度検出部４１１で測定された温度が基準温度と一致するように、第２発光輝度が調整される。
例えば、温度検出部４１１により測定された温度が、基準温度よりも高い場合には、第２発光輝度を下げる処理が行われる。
また、温度検出部４１１により測定された温度が、基準温度よりも低い場合には、第２発光輝度を上げる処理が行われる。
【００６８】
このように第２発光輝度を調整することにより、より精度良く温度ムラを低減することができる。具体的には、バックライト１０１の各位置の温度を基準温度に近づけることができる。
なお、第２発光輝度の上げ幅や下げ幅は一定であってもよいし、測定された温度と基準温度との差や第２発光輝度と第２基準値との差に応じて決定されてもよい。例えば、第２発光輝度と第２基準値との差が小さいほど下げ幅や上げ幅を小さくすれば、より精度良く温度ムラを低減することができる。具体的には、温度が基準値を上回ったり下回ったりすることが繰り返されることなく、バックライト１０１の各位置の温度を基準温度に近づけることが可能となる。
【００６９】
以上述べたように、本実施例によれば、バックライトの各位置の温度に基づいて第２発光輝度が決定される。それにより、実施例１と同様、または、実施例１よりも精度良く温度ムラを低減することができる。
なお、本実施例における第２発光輝度の決定方法を、実施例２，３に係る表示装置に適用してもよい。
なお、本実施例では、画面内の温度ムラが低減するように、第１発光輝度（または第１統計量）基づいて第２発光輝度を決定した後に、温度に基づいて当該決定した第２発光輝度を調整する構成としたが、これに限らない。例えば、第１発光輝度（または第１統計量）基づいて第２発光輝度を決定せずに、温度に基づいて第２発光輝度が決定及び調整されてもよい。
【００７０】
なお、実施例１〜４の記載はあくまで一例であり、本発明の範囲を限定する趣旨のものではない。
【００７１】
なお、実施例１〜４で説明した各機能（各処理）は、ハードウェアにより実現されてもよいし、コンピュータがソフトウェア（プログラムコード）を実行することにより実現されてもよい。いずれの場合においても、同様の効果を得ることができる。コンピュータがプログラムコードを実行することにより上記各機能が実現される場合、そのプログラムコード自体が上記各機能を実現することになる。そのため、上記各機能を実現するプログラムコード自体、および、そのプログラムコードをコンピュータに供給するための手段（例えば、そのプログラムコードを格納した記憶媒体）は、本発明の範囲に含まれる。プログラムコードを記憶する記憶媒体としては、ハードディスク、光ディスク、光磁気ディスク、ＣＤ−ＲＯＭ、磁気テープ、不揮発性のメモリカード、ＲＯＭ等を用いることができる。
【００７２】
また、コンピュータが供給されたプログラムコードを実行し、そのプログラムコードがコンピュータにおいて稼働しているＯＳ（オペレーティングシステム）或いは他のアプリケーションソフト等と共同して上記各機能（各処理）を実現する場合にも、そのプログラムコード自体、および、そのプログラムコードをコンピュータに供給するための手段が本発明の範囲に含まれることは言うまでもない。
【００７３】
更に、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上記各機能（各処理）が実現される場合にも、そのプログラムコード自体、および、そのプログラムコードをコンピュータに供給するための手段が本発明の範囲に含まれる。
【符号の説明】
【００７４】
１００，２００,３００，４００  液晶表示装置
１０１  バックライト
１０３  統計量取得部
１０４  発光輝度決定部
【図１】
2014035519.tif 000003
【図２】
2014035519.tif 000004
【図３】
2014035519.tif 000005
【図４】
2014035519.tif 000006
【図５】
2014035519.tif 000007
【図６】
2014035519.tif 000008
【図７】
2014035519.tif 000009
【図８】
2014035519.tif 000010
【図９】
2014035519.tif 000011
【図１０】
2014035519.tif 000012
【図１１】
2014035519.tif 000013
【図１２】
2014035519.tif 000014
【図１３】
2014035519.tif 000015